(57)【要約】【課題】蓋本体や容器本体に外装された外装体をその蓋本体や容器本体から容易に取り外すことができ、外装体と蓋本体や容器本体とを容易に分別することを目的とする。【解決手段】内容物を収容する容器２と、容器２の口部５０ａに装着された蓋体３と、を備える蓋付き容器１であって、蓋体３には、有頂筒状の蓋用外装体７と、蓋用外装体７の内側に嵌合されていると共に口部５０ａに装着された有頂筒状の蓋本体８と、が備えられ、蓋用外装体７の周壁部７１の内周面には、第一蓋係合部７２が形成され、蓋本体８には、蓋体径方向に移動可能な蓋側可動部８５が備えられ、蓋側可動部８５には、第一蓋係合部７２に係合された第二蓋係合部８６が形成され、蓋体３には、蓋側可動部８５を蓋体径方向の内側に移動させて第一蓋係合部７２と第二蓋係合部８６との係合を解除させる蓋係合解除手段１２が備えられている。【選択図】図１
2010083541.tif 000002
【特許請求の範囲】
【請求項１】
内容物を収容する容器と、該容器の口部に装着された蓋体と、を備える蓋付き容器であって、
前記蓋体には、有頂筒状の蓋用外装体と、該蓋用外装体の内側に嵌合されていると共に前記口部に装着された有頂筒状の蓋本体と、が備えられ、
前記蓋用外装体の周壁部の内周面には、第一蓋係合部が形成され、
前記蓋本体には、蓋体径方向に移動可能な蓋側可動部が備えられ、
該蓋側可動部には、前記第一蓋係合部に係合された第二蓋係合部が形成され、
前記蓋体には、前記蓋側可動部を蓋体径方向の内側に移動させて前記第一蓋係合部と前記第二蓋係合部との係合を解除させる蓋係合解除手段が備えられていることを特徴とする蓋付き容器。
【請求項２】
内容物を収容する容器と、該容器の口部に装着された蓋体と、を備える蓋付き容器であって、
前記容器本体には、有底筒状の容器用外装体と、該容器用外装体の内側に嵌合されていると共に上端に前記口部が形成された有底筒状の容器本体と、が備えられ、
前記容器用外装体の周壁部の内周面には、第一容器係合部が形成され、
前記容器本体には、容器径方向に移動可能な容器側可動部が備えられ、
該容器側可動部には、前記第一容器係合部に係合された第二容器係合部が形成され、
前記容器には、前記容器側可動部を容器径方向の内側に移動させて前記第一容器係合部と前記第二容器係合部との係合を解除させる容器係合解除手段が備えられていることを特徴とする蓋付き容器。
【請求項３】
請求項２に記載の蓋付き容器において、
前記蓋体には、有頂筒状の蓋用外装体と、該蓋用外装体の内側に嵌合されていると共に前記口部に装着された有頂筒状の蓋本体と、が備えられ、
前記蓋用外装体の周壁部の内周面には、第一蓋係合部が形成され、
前記蓋本体には、蓋体径方向に移動可能な蓋側可動部が備えられ、
該蓋側可動部には、前記第一蓋係合部に係合された第二蓋係合部が形成され、
前記蓋体には、前記蓋側可動部を蓋体径方向の内側に移動させて前記第一蓋係合部と前記第二蓋係合部との係合を解除させる蓋係合解除手段が備えられていることを特徴とする蓋付き容器。
【請求項４】
請求項１又は３に記載の蓋付き容器において、
前記蓋係合解除手段は、前記蓋用外装体の周壁部と前記蓋本体の周壁部との間に配設されて前記蓋用外装体の開口端側から該蓋用外装体の天壁部側に向けて押し込み可能な蓋側ボタンからなり、
該蓋側ボタンには、前記蓋側可動部を蓋体径方向の内側から外側に向けて押圧すると共に当該蓋側ボタンが天壁部側に向けて押し込まれた状態において前記蓋側可動部から離間する第一蓋側押圧部と、当該蓋側ボタンが天壁部側に向けて押し込まれた状態において前記蓋側可動部を蓋体径方向の外側から内側に向けて押圧する第二蓋側押圧部と、が備えられていることを特徴とする蓋付き容器。
【請求項５】
請求項２から４のいずれか一項に記載の蓋付き容器において、
前記容器係合解除手段は、前記容器用外装体の周壁部と前記容器本体の周壁部との間に配設されて前記容器用外装体の開口端側から該容器用外装体の底壁部側に向けて押し込み可能な容器側ボタンからなり、
該容器側ボタンには、前記容器側可動部を容器径方向の内側から外側に向けて押圧すると共に当該容器側ボタンが底壁部側に向けて押し込まれた状態において前記容器側可動部から離間する第一容器側押圧部と、当該容器側ボタンが底壁部側に向けて押し込まれた状態において前記容器側可動部を容器径方向の外側から内側に向けて押圧する第二容器側押圧部と、が備えられていることを特徴とする蓋付き容器。
【発明の詳細な説明】
【技術分野】
【０００１】
本発明は、例えばクリーム等の内容物を収容する蓋付き容器に関する。
【背景技術】
【０００２】
この種の蓋付き容器として、従来、内容物を収容する容器と、容器の口部に装着される蓋体と、を備えた構成が知られている。
上記した蓋体としては、従来、例えば特許文献１に示されているように、有頂筒状の外装体と、その外装体の内側に嵌合されている有頂筒状の蓋本体と、蓋本体の内側に着脱可能に嵌合されると共に蓋本体の天壁部と容器の口部の端面との間に介在されて口部を閉塞する板状のパッキンと、を備えた構成が知られている。外装体は、装飾用の部材であり、例えばガラスや金属等からなる非樹脂製部材である。蓋本体は、容器の口部に装着されるキャップであり、例えばポリエチレンやポリプロピレン等の合成樹脂からなる樹脂製部材である。
また、上記した容器として、従来、有底筒状の非樹脂製の外装体の内側に、樹脂製の容器本体が嵌合された構成が知られている。
【特許文献１】実開平３−２９４５９号公報
【発明の開示】
【発明が解決しようとする課題】
【０００３】
しかしながら、上記した外装体付きの蓋体を備える従来の蓋付き容器では、外装体の内側に蓋本体が嵌合して固定されているため、外装体が蓋本体から取り外しにくく、蓋体を廃棄する際に、非樹脂製の外装体と樹脂製の蓋本体とを分別するのが煩雑であるという問題が存在する。
また、外装体付きの容器を備える蓋付き容器でも同様であり、外装体の内側に容器本体が嵌合して固定されているため、外装体が容器本体から取り外しにくく、容器を廃棄する際に、非樹脂製の外装体と樹脂製の容器本体とを分別するのが煩雑であるという問題が存在する。
【０００４】
本発明は、上記した従来の問題が考慮されたものであり、蓋本体や容器本体に外装された外装体を、その蓋本体や容器本体から容易に取り外すことができ、外装体と蓋本体や容器本体とを容易に分別することができる蓋付き容器を提供することを目的としている。
【課題を解決するための手段】
【０００５】
本発明に係る蓋付き容器は、内容物を収容する容器と、該容器の口部に装着された蓋体と、を備える蓋付き容器であって、前記蓋体には、有頂筒状の蓋用外装体と、該蓋用外装体の内側に嵌合されていると共に前記口部に装着された有頂筒状の蓋本体と、が備えられ、前記蓋用外装体の周壁部の内周面には、第一蓋係合部が形成され、前記蓋本体には、蓋体径方向に移動可能な蓋側可動部が備えられ、該蓋側可動部には、前記第一蓋係合部に係合された第二蓋係合部が形成され、前記蓋体には、前記蓋側可動部を蓋体径方向の内側に移動させて前記第一蓋係合部と前記第二蓋係合部との係合を解除させる蓋係合解除手段が備えられていることを特徴としている。
【０００６】
このような特徴により、当該蓋付き容器を廃棄する際には、容器の口部から蓋体を取り外した後、蓋係合解除手段によって蓋側可動部を径方向内側に移動させる。これにより、蓋側可動部の第二蓋係合部が蓋用外装体の第一蓋係合部から外れ、これら第一、第二蓋係合部の係合が解除される。続いて、蓋用外装体の内側から蓋本体を引き出し、蓋本体と蓋用外装体とを分別する。
【０００７】
また、本発明に係る蓋付き容器は、内容物を収容する容器と、該容器の口部に装着された蓋体と、を備える蓋付き容器であって、前記容器本体には、有底筒状の容器用外装体と、該容器用外装体の内側に嵌合されていると共に上端に前記口部が形成された有底筒状の容器本体と、が備えられ、前記容器用外装体の周壁部の内周面には、第一容器係合部が形成され、前記容器本体には、容器径方向に移動可能な容器側可動部が備えられ、該容器側可動部には、前記第一容器係合部に係合された第二容器係合部が形成され、前記容器には、前記容器側可動部を容器径方向の内側に移動させて前記第一容器係合部と前記第二容器係合部との係合を解除させる容器係合解除手段が備えられていることを特徴としている。
【０００８】
このような特徴により、当該蓋付き容器を廃棄する際には、容器の口部から蓋体を取り外した後、容器係合解除手段によって容器側可動部を径方向内側に移動させる。これにより、容器側可動部の第二容器係合部が容器用外装体の第一容器係合部から外れ、これら第一、第二容器係合部の係合が解除される。続いて、容器用外装体の内側から容器本体を引き出し、容器本体と容器用外装体とを分別する。
【０００９】
また、本発明に係る蓋付き容器は、上記した２つの発明を組み合わせた構成にすることが好ましい。
すなわち、前記した後者の蓋付き容器において、前記蓋体には、有頂筒状の蓋用外装体と、該蓋用外装体の内側に嵌合されていると共に前記口部に装着された有頂筒状の蓋本体と、が備えられ、前記蓋用外装体の周壁部の内周面には、第一蓋係合部が形成され、前記蓋本体には、蓋体径方向に移動可能な蓋側可動部が備えられ、該蓋側可動部には、前記第一蓋係合部に係合された第二蓋係合部が形成され、前記蓋体には、前記蓋側可動部を蓋体径方向の内側に移動させて前記第一蓋係合部と前記第二蓋係合部との係合を解除させる蓋係合解除手段が備えられていることが好ましい。
これにより、蓋本体と蓋用外装体とが分別されると共に、容器本体と容器用外装体とが分別される。
【００１０】
また、本発明に係る蓋付き容器は、前記蓋係合解除手段が、前記蓋用外装体の周壁部と前記蓋本体の周壁部との間に配設されて前記蓋用外装体の開口端側から該蓋用外装体の天壁部側に向けて押し込み可能な蓋側ボタンからなり、該蓋側ボタンに、前記蓋側可動部を蓋体径方向の内側から外側に向けて押圧すると共に当該蓋側ボタンが天壁部側に向けて押し込まれた状態において前記蓋側可動部から離間する第一蓋側押圧部と、当該蓋側ボタンが天壁部側に向けて押し込まれた状態において前記蓋側可動部を蓋体径方向の外側から内側に向けて押圧する第二蓋側押圧部と、が備えられていることが好ましい。
【００１１】
これにより、蓋付き容器の使用前又は使用時においては、蓋側ボタンの第一蓋側押圧部が蓋側可動部を径方向内側から外側に向けて押圧するため、蓋用外装体の第一蓋係合部と蓋側可動部の第二蓋係合部とが確実に係合された状態となり、蓋用外装体が蓋本体に固定される。一方、使用後に蓋本体と蓋用外装体とを分別する際には、容器の口部から蓋体を取り外した後、蓋側ボタンを蓋用外装体の天壁部側に向けて押し込む。これにより、第一蓋側押圧部が蓋側可動部から離間して蓋側可動部の径方向外側への押圧が解除されると共に、第二蓋側押圧部が蓋側可動部を径方向内側に向けて押圧する。その結果、蓋側可動部が径方向内側に移動し、蓋側可動部の第二蓋係合部と蓋用外装体の第一蓋係合部との係合が解除される。
【００１２】
また、本発明に係る蓋付き容器は、前記容器係合解除手段は、前記容器用外装体の周壁部と前記容器本体の周壁部との間に配設されて前記容器用外装体の開口端側から該容器用外装体の底壁部側に向けて押し込み可能な容器側ボタンからなり、該容器側ボタンには、前記容器側可動部を容器径方向の内側から外側に向けて押圧すると共に当該容器側ボタンが底壁部側に向けて押し込まれた状態において前記容器側可動部から離間する第一容器側押圧部と、当該容器側ボタンが底壁部側に向けて押し込まれた状態において前記容器側可動部を容器径方向の外側から内側に向けて押圧する第二容器側押圧部と、が備えられていることが好ましい。
【００１３】
これにより、蓋付き容器の使用前又は使用時においては、容器側ボタンの第一容器側押圧部が容器側可動部を径方向内側から外側に向けて押圧するため、容器用外装体の第一容器係合部と容器側可動部の第二容器係合部とが確実に係合された状態となり、容器用外装体が容器本体に固定される。一方、使用後に容器本体と容器用外装体とを分別する際には、容器の口部から蓋体を取り外した後、容器側ボタンを容器用外装体の底壁部側に向けて押し込む。これにより、第一容器側押圧部が容器側可動部から離間して容器側可動部の径方向外側への押圧が解除されると共に、第二容器側押圧部が容器側可動部を径方向内側に向けて押圧する。その結果、容器側可動部が径方向内側に移動し、容器側可動部の第二容器係合部と容器用外装体の第一容器係合部との係合が解除される。
【発明の効果】
【００１４】
本発明に係る蓋付き容器によれば、蓋係合解除手段によって第一、第二蓋係合部の係合を解除することにより、蓋用外装体を蓋本体から容易に取り外すことができ、蓋用外装体と蓋本体とを容易に分別することができる。
また、本発明に係る蓋付き容器によれば、容器係合解除手段によって第一、第二容器係合部の係合を解除することにより、容器用外装体を容器本体から容易に取り外すことができ、容器用外装体と容器本体とを容易に分別することができる。
【発明を実施するための最良の形態】
【００１５】
以下、本発明に係る蓋付き容器の実施の形態について、図面に基いて説明する。
図１は本実施の形態における蓋付き容器１の縦断面図であり、図２は後述する容器２の横断面図であり、図３は後述する蓋係合解除手段１２及び蓋側可動部８５と、容器係合解除手段１１及び容器側可動部５５の分解斜視図であり、図４は後述する蓋体３の横断面図であり、図５は容器２及び蓋体３の部分縦断面図である。なお、図３に示す容器係合解除手段１１及び容器側可動部５５においては、上下方向が逆になっており、図４３における上側が「下方」であり、図３における下側が「上方」である。
なお、図１に示す一点鎖線Ｏは蓋付き容器１の中心軸線を示しており、以下、単に「軸線Ｏ」と記す。また、軸線Ｏが延びた方向を「軸方向」とし、蓋付き容器１の蓋体３側（図１における上方）を「上側」、その反対側（図１における下方）を「下側」とする。また、軸線Ｏに直交する方向を「径方向」とし、軸線Ｏ回りの方向を「周方向」とする。
【００１６】
図１に示すように、蓋付き容器１は、クリーム等の内容物を収容する容器２と、容器２の口部５０ａに装着された蓋体３と、を備えている。
【００１７】
図１、図２に示すように、容器２は、有底筒状の容器用外装体４と、容器用外装体４の内側に嵌合されている有底筒状の容器本体５と、を備えている。
【００１８】
容器用外装体４は、金属やガラス等からなる非樹脂製の筒部材であり、例えば金属製の場合にはプレス成形等によって成形される。この容器用外装体４は、板状の底壁部４０と、底壁部４０の外縁から立設された筒形状の周壁部４１と、を備えている。底壁部４０は、平面視略八角形状の板部であり、軸線Ｏに対して垂直に配設されている。なお、底壁部４０の複数の辺のうち、軸線Ｏを挟んで両側に対称に形成された一対の辺がそれぞれ円弧形状に形成されている。周壁部４１は、断面形状略八角形の角筒部であり、軸線Ｏを中心軸線にして軸方向に延設されている。なお、周壁部４１の複数の壁部のうち、軸線Ｏを挟んで両側に対称に形成された一対の壁部４１ａは、平面視円弧形状にそれぞれ形成されている。また、周壁部４１の上端は、後述する容器本体５の外壁部５４の上端位置まで延在されている。
【００１９】
上記した周壁部４１の内周面には、第一容器係合部４２が形成されている。この第一容器係合部４２は、軸線Ｏを挟んで周壁部４１の両側部分にそれぞれ配設されている。詳しく説明すると、第一容器係合部４２は、周壁部４１の両側の円弧状壁部４１ａの内面に形成された上下一対の凹部４２ａ，４２ｂからなる。これら一対の凹部４２ａ，４２ｂは、周方向に沿ってそれぞれ延設されており、上下に間隔をあけて並行に配列されている。
【００２０】
容器本体５は、ポリエチレンやポリプロピレン等の合成樹脂からなる樹脂製の容器であり、例えば射出成形などによって成形される。この容器本体５は、筒状の周壁部５０と、周壁部５０の下端に配設された底壁部５１と、を備えている。
【００２１】
周壁部５０は、上部外周面が下部外周面よりも縮径されていると共に下部が二重筒構造になった筒部である。詳しく説明すると、周壁部５０は、軸線Ｏを共通軸にして容器用外装体４の周壁部４１と同軸上に配設された円筒形状の内壁部５２と、内壁部５２の軸方向中間部から径方向外側に向けて突出したフランジ部５３と、フランジ部５３の外端から垂下された筒形状の外壁部５４と、を備えている。内壁部５２は、底壁部５１の外縁から立設されており、内壁部５２（周壁部５０）の上部には、蓋体３が装着される口部５０ａが形成されている。この口部５０ａの外周面には、雄ねじ５０ｂが形成されており、口部５０ａには蓋体３が螺着されている。フランジ部５３は、口部５０ａの下方に配設されており、軸線Ｏ回りに全周に亘って形成されている。外壁部５４は、軸線Ｏを共通軸にして容器用外装体４の周壁部４１及び内壁部５２と同軸上に配設されている。外壁部５４は容器用外装体４の周壁部４１の内側に嵌合、若しくは外壁部５４の外周面は前記周壁部４１の内周面に接合されている。
【００２２】
また、図１から図３に示すように、容器本体５には、径方向に移動可能な容器側可動部５５が備えられている。詳しく説明すると、容器本体５の周壁部５０の両側部分、つまり、フランジ部５３及び外壁部５４のうち、容器用外装体４の円弧状壁部４１ａに対向する部分には、フランジ部５３の径方向中間部から外壁部５４の軸方向中間部まで延在する矩形の開口５０ｃがそれぞれ形成されている。外壁部５４に形成された開口５０ｃの軸方向の中間部分には、周方向に延在する板状の容器側可動部５５が架設されている。この容器側可動部５５は、両端がそれぞれ支持された状態となっており、径方向に撓み変形可能となっている。なお、容器側可動部５５の両端部はそれぞれ薄肉に形成されており、これにより、容器側可動部５５は径方向に撓み変形容易となっている。容器側可動部５５の外周面（径方向外側の面）の周方向中央部には、軸方向に延在する凹溝状の凹部５５ａが形成され、その凹部５５ａの底面に周方向に沿って延在する平面視円弧状の外側被押圧面５５ｂが形成されている。また、容器側可動部５５の外周面の周方向両端部には、上記した第一容器係合部４２に係合した第二容器係合部５６がそれぞれ形成されている。この第二容器係合部５６は、上記した凹部４２ａ，４２ｂの内側に嵌合される上下一対の凸部５６ａ，５６ｂからなる。これら一対の凸部５６ａ，５６ｂは、周方向に沿ってそれぞれ延設されており、上下に間隔をあけて並行に配列されている。また、容器側可動部５５の内周面（径方向内側の面）の周方向両端部には、軸方向に延在する凹溝状の凹部５５ｃがそれぞれ形成され、それらの凹部５５ｃの底面に内側被押圧面５５ｄがそれぞれ形成されている。
【００２３】
また、容器本体５には、内壁部５２と外壁部５４との間に、互いに平行する一対の側壁部５７が形成されている。これらの側壁部５７は、上記開口５０ｃの周方向両端部分にそれぞれ配設されており、これら両側の側壁部５７の対向面には、軸方向に延在する凹状のガイド溝５７ａがそれぞれ形成されている。
【００２４】
また、容器２には、容器側可動部５５を径方向内側に移動させて上記した第一容器係合部４２と第二容器係合部５６との係合を解除させる容器係合解除手段１１が備えられている。この容器係合解除手段１１は、容器用外装体４の周壁部４１と容器本体５の周壁部５０との間に配設されて容器用外装体４の開口端側から容器用外装体４の底壁部４０側（下側）に向けて押し込み可能な容器側ボタン２０からなる。
【００２５】
容器側ボタン２０は、上記した周壁部５０の開口５０ｃの内側は嵌め込まれた押込みボタンであり、その概略構成としては、容器用外装体４の開口端に沿って配置された基板部２１と、基板部２１の径方向内側の側端から垂下された壁部２２と、壁部２２の外面（径方向外側を向いた面）に設けられた第一容器側押圧部２３と、壁部２２の下面に設けられた第二容器側押圧部２４と、を備えている。
【００２６】
基板部２１は、周方向に延在する平面視円弧状の板部であり、その上面が容器本体５のフランジ部５３の上面と面一に形成されている。壁部２２は、容器本体５の内壁部５２の外周面に沿って形成された平面視円弧形状の湾曲壁部であり、上述した容器側可動部５５と内壁部５２との間に差し込まれて内壁部５２の外周面に摺接されている。この壁部２２の両側端には、上記したガイド溝５７ａに摺動可能に嵌め込まれるガイド部２２ａがそれぞれ形成されている。このガイド部２２ａとガイド溝５７ａによって容器側ボタン２０は軸方向に案内される。
【００２７】
第一容器側押圧部２３は、容器側可動部５５を径方向内側から外側に向けて押圧すると共に容器側ボタン２０が底壁部４０側に向けて押し込まれた状態において容器側可動部５５から離間するものである。具体的に説明すると、第一容器側押圧部２３は、壁部２２の外面の両側部に突設された突出部であり、第一容器側押圧部２３の突出方向（径方向外側）の先端には、軸方向に沿って延在する押圧面２３ａが形成されている。この第一容器側押圧部２３は、容器側可動部５５の内周面の凹部５５ｃの内側に嵌め込まれており、押圧面２３ａが上記した内側被押圧面５５ｄに当接され、容器側可動部５５が第一容器側押圧部２３によって径方向外側に向けて押圧されている。
【００２８】
第二容器側押圧部２４は、容器側ボタン２０が底壁部４０側に向けて押し込まれた状態において第一容器側押圧部２３を径方向外側から内側に向けて押圧するものである。具体的に説明すると、第二容器側押圧部２４は、基板部２１の下面の中央部から垂下された突出部であり、壁部２２との間に間隔をあけて配設されている。この第二容器側押圧部２４の内面（径方向内側を向いた面）には、下方に向かって径方向外側に傾斜した押圧面２４ａが形成されている。この第二容器側押圧部２４は、容器側可動部５５の外周面の凹部５５ａの上方に配設されており、容器側ボタン２０が底壁部４０側に向けて押し込まれると、押圧面２４ａが外側被押圧面５５ｂ上を摺動しながら上記凹部５５ａの内側に挿入され、容器側可動部５５が第二容器側押圧部２４によって径方向内側に向けて押圧される。
【００２９】
また、壁部２２の外面には、基板部２１の下面から第一容器側押圧部２３の上端面まで延在する凸条部２５が形成されている。この凸条部２５は、第一容器側押圧部２３に連設されており、第一容器側押圧部２３と略同幅であって第一容器側押圧部２３よりも突出長さが短くなっている。この凸条部２５は、容器側ボタン２０が底壁部４０側に向けて押し込まれた状態において容器側可動部５５の内周面の凹部５５ｃの内側に嵌め込まれる。
【００３０】
蓋体３は、図１、図４に示すように、有頂筒状の蓋用外装体７と、蓋用外装体７の内側に嵌合された有頂筒状の蓋本体８と、蓋本体８の内側に着脱可能に嵌合されたパッキン９と、を備えている。
【００３１】
蓋用外装体７は、金属やガラス等からなる非樹脂製の筒部材であり、例えば金属製の場合にはプレス成形等によって成形される。この蓋用外装体７は、板状の天壁部７０と、天壁部７０の外縁から垂下された円筒形状の周壁部７１と、を備えている。天壁部７０は、容器用外装体４の底壁部４０と同様に平面視略八角形状の板部であり、軸線Ｏに対して垂直に配設されている。なお、底壁部４０と同様に、天壁部７０の複数の辺のうち、軸線Ｏを挟んで両側に対称に形成された一対の辺がそれぞれ円弧形状に形成されている。周壁部７１は、容器用外装体４の周壁部４１と同様に断面形状略八角形の角筒部であり、軸線Ｏを中心軸線にして軸方向に延設されている。なお、周壁部７１の複数の壁部のうち、軸線Ｏを挟んで両側に対称に形成された一対の壁部７１ａは、平面視円弧形状にそれぞれ形成されている。また、周壁部７１の下端は、後述する蓋本体８の周壁部８１の下端の下方まで延在されている。また、前記周壁部７１は、上述した容器用外装体４の周壁部４１と同形状の筒部であり、蓋用外装体７の周壁部７１の外周面は、容器用外装体４の周壁部４１の外周面に対して軸方向に面一に形成されている。
【００３２】
上記した周壁部７１の内周面には、第一蓋係合部７２が形成されている。この第一蓋係合部７２は、軸線Ｏを挟んで周壁部７１の両側部分にそれぞれ配設されている。詳しく説明すると、第一蓋係合部７２は、周壁部７１の両側の円弧状壁部７１ａの内面に形成された上下一対の凹部７２ａ，７２ｂからなる。これら一対の凹部７２ａ，７２ｂは、周方向に沿ってそれぞれ延設されており、上下に間隔をあけて並行に配列されている。
【００３３】
蓋本体８は、容器２（容器本体５）の口部５０ａに装着されるキャップであり、ポリエチレンやポリプロピレン等の合成樹脂からなる樹脂製部材であり、例えば射出成形などによって成形される。この蓋本体８は、軸線Ｏに対して垂直に配設された平面視円環状の天壁部８０と、天壁部８０の外縁から垂下された周壁部８１と、を備えている。
【００３４】
周壁部８１は、二重構造の筒部である。詳しく説明すると、周壁部８１は、軸線Ｏを共通軸にして蓋用外装体７の周壁部７１及び容器本体５の口部５０ａと同軸上に配設された円筒形状の内壁部８２と、内壁部８２の下端部から径方向外側に向けて突出した図示せぬフランジ部と、このフランジ部の外端から立設された円筒形状の外壁部８４と、を備えている。内壁部８２の内周面には、容器本体５の口部５０ａの雄ねじ５０ｂに螺着される雌ねじ８１ａが形成されている。外壁部８４は、軸線Ｏを共通軸にして蓋用外装体７の周壁部７１及び内壁部８２と同軸上に配設されている。外壁部８４は蓋用外装体７の周壁部７１の内側に嵌合、若しくは外壁部８４の外周面は前記周壁部７１の内周面に接合されている。
【００３５】
また、図１、図３、図４に示すように、蓋本体８には、径方向に移動可能な蓋側可動部８５が備えられている。詳しく説明すると、蓋本体８の周壁部８１の両側部分、つまり、図示せぬフランジ部及び外壁部８４のうち、蓋用外装体７の円弧状壁部７１ａに対向する部分には、フランジ部の径方向内縁から外壁部８４の上端まで延在する矩形の開口８１ｂがそれぞれ形成されている。外壁部８４に形成された開口８１ｂの軸方向の中間部分には、周方向に延在する板状の蓋側可動部８５が架設されている。この蓋側可動部８５は、両端がそれぞれ支持された状態となっており、径方向に撓み変形可能となっている。なお、蓋側可動部８５の両端部はそれぞれ薄肉に形成されており、これにより、蓋側可動部８５は径方向に撓み変形容易となっている。蓋側可動部８５の外周面（径方向外側の面）の周方向中央部には、軸方向に延在する凹溝状の凹部８５ａが形成され、その凹部８５ａの底面に周方向に沿って延在する平面視円弧状の外側被押圧面８５ｂが形成されている。また、蓋側可動部８５の外周面の周方向両端部には、上記した第一蓋係合部７２に係合した第二蓋係合部８６がそれぞれ形成されている。この第二蓋係合部８６は、上記した凹部７２ａ，７２ｂの内側に嵌合される上下一対の凸部８６ａ，８６ｂからなる。これら一対の凸部８６ａ，８６ｂは、周方向に沿ってそれぞれ延設されており、上下に間隔をあけて並行に配列されている。また、蓋側可動部８５の内周面（径方向内側の面）の周方向両端部には、軸方向に延在する凹溝状の凹部８５ｃがそれぞれ形成され、それらの凹部８５ｃの底面に内側被押圧面８５ｄがそれぞれ形成されている。
【００３６】
また、蓋本体８には、内壁部８２と外壁部８４との間に、互いに平行する一対の側壁部８７が形成されている。これらの側壁部８７は、上記開口８１ｂの周方向両端部分にそれぞれ配設されており、これら両側の側壁部８７の対向面には、軸方向に延在する凹状のガイド溝８７ａがそれぞれ形成されている。
【００３７】
また、蓋体３には、蓋側可動部８５を径方向内側に移動させて上記した第一蓋係合部７２と第二蓋係合部８６との係合を解除させる蓋係合解除手段１２が備えられている。この蓋係合解除手段１２は、蓋用外装体７の周壁部７１と蓋本体８の周壁部８１との間に配設されて蓋用外装体７の開口端側から蓋用外装体７の天壁部７０側（上側）に向けて押し込み可能な蓋側ボタン３０からなる。
【００３８】
蓋側ボタン３０は、上記した周壁部８１の開口８１ｂの内側は嵌め込まれた押込みボタンであり、その概略構成としては、蓋用外装体７の開口端に沿って配置された基板部３１と、基板部３１の径方向内側の側端から立設された壁部３２と、壁部３２の外面（径方向外側を向いた面）に設けられた第一蓋側押圧部３３と、壁部３２の下面に設けられた第二蓋側押圧部３４と、を備えている。
【００３９】
基板部３１は、周方向に延在する平面視円弧状の板部であり、その下面が蓋本体８の図示せぬフランジ部の下面と面一に形成されている。壁部３２は、蓋本体８の内壁部８２の外周面に沿って形成された平面視円弧形状の湾曲壁部であり、上述した蓋側可動部８５と内壁部８２との間に差し込まれて内壁部８２の外周面に摺接されている。この壁部３２の両側端には、上記したガイド溝８７ａに摺動可能に嵌め込まれるガイド部３２ａがそれぞれ形成されている。このガイド部３２ａとガイド溝８７ａによって蓋側ボタン３０は軸方向に案内される。
【００４０】
第一蓋側押圧部３３は、蓋側可動部８５を径方向内側から外側に向けて押圧すると共に蓋側ボタン３０が天壁部７０側に向けて押し込まれた状態において蓋側可動部８５から離間するものである。具体的に説明すると、第一蓋側押圧部３３は、壁部３２の外面の両側部に突設された突出部であり、第一蓋側押圧部３３の突出方向（径方向外側）の先端には、軸方向に沿って延在する押圧面３３ａが形成されている。この第一蓋側押圧部３３は、蓋側可動部８５の内周面の凹部８５ｃの内側に嵌め込まれており、押圧面３３ａが上記した内側被押圧面８５ｄに当接され、蓋側可動部８５が第一蓋側押圧部３３によって径方向外側に向けて押圧されている。
【００４１】
第二蓋側押圧部３４は、蓋側ボタン３０が天壁部７０側に向けて押し込まれた状態において第一蓋側押圧部３３を径方向外側から内側に向けて押圧するものである。具体的に説明すると、第二蓋側押圧部３４は、基板部３１の上面の中央部から立設された突出部であり、壁部３２との間に間隔をあけて配設されている。この第二蓋側押圧部３４の内面（径方向内側を向いた面）には、下方に向かって径方向外側に傾斜した押圧面３４ａが形成されている。この第二蓋側押圧部３４は、蓋側可動部８５の外周面の凹部８５ａの下方に配設されており、蓋側ボタン３０が天壁部７０側に向けて押し込まれると、押圧面３４ａが外側被押圧面８５ｂ上を摺動しながら上記凹部８５ａの内側に挿入され、蓋側可動部８５が第二蓋側押圧部３４によって径方向内側に向けて押圧される。
【００４２】
また、壁部３２の外面には、基板部３１の上面から第一蓋側押圧部３３の下端面まで延在する凸条部３５が形成されている。この凸条部３５は、第一蓋側押圧部３３に連設されており、第一蓋側押圧部３３と略同幅であって第一蓋側押圧部３３よりも突出長さが短くなっている。この凸条部３５は、蓋側ボタン３０が天壁部７０側に向けて押し込まれた状態において蓋側可動部８５の内周面の凹部８５ｃの内側に嵌め込まれる。
【００４３】
天壁部８０は上記した内壁部８２の上端に設けられた壁部であり、この天壁部８０の外縁から内壁部８２が垂下されている。この天壁部８０の内縁には、パッキン９に係止されてパッキン９を支持する係止筒部８８が垂下されている。
【００４４】
パッキン９は、蓋本体８の天壁部８０と容器本体５の口部５０ａの上端面との間の隙間をシールするシール部材であり、弾性変形可能な合成樹脂などによって形成されている。詳しく説明すると、パッキン９は、軸線Ｏに対して垂直に配設された平面視円形の板状部材である。パッキン９は、蓋本体８の天壁部８０と容器本体５の口部５０ａの上端面との間に介在されており、蓋用外装体７の天壁部７０の下面全体を覆うと共に口部５０ａの開口端を閉塞している。パッキン９の外周部の上面には、後述するＯリング１０を保持するための筒状の立上げ部９０が立設されている。この立上げ部９０は、軸線Ｏを中心軸線にして軸方向に延設された円筒形状の壁部であり、その外径がパッキン９の外径よりも小さく、パッキン９の外縁よりも径方向内側に配設されている。また、パッキン９の中央部の上面には、蓋本体８に係止される係止筒部９１が形成されている。この係止筒部９１は、上記した蓋本体８の係止筒部８８の内側に挿入されるとともにその係止筒部８８にアンダーカット嵌合されている。
【００４５】
また、上記した蓋用外装体７の天壁部７０とパッキン９との間には、Ｏリング１０が介在されている。Ｏリング１０は、蓋用外装体７とパッキン９との間の衝撃を緩和する緩衝材であり、弾性変形可能な弾性部材によって形成されている。このＯリング１０は、上記したパッキン９の立上げ部９０の径方向外側に嵌合されており、パッキン９の外周部と天壁部７０の外周部との間に介在されている。
【００４６】
次に、上記した構成の蓋付き容器１の作用について説明する。
【００４７】
まず、蓋付き容器の使用前又は使用時においては、図５（ａ）に示すように、容器用外装体４の第一容器係合部４２が、容器本体５に備えられた容器側可動部５５の第二容器係合部５６に係合されるため、容器用外装体４が容器本体５に固定される。このとき、容器側ボタン２０の第一容器側押圧部２３が容器側可動部５５の内周面の凹部５５ｃの内側に嵌め込まれており、第一容器側押圧部２３の押圧面２３ａが容器側可動部５５の内側被押圧面５５ｄに当接して、第一容器側押圧部２３が容器側可動部５５を径方向内側から外側に向けて押圧する。このため、容器用外装体４の第一容器係合部４２と容器側可動部５５の第二容器係合部５６とが確実に係合された状態となり、容器用外装体４が容器本体５に確実に固定される。
【００４８】
また、蓋付き容器の使用前又は使用時においては、図５（ａ）に示すように、蓋用外装体７の第一蓋係合部７２が、蓋本体８に備えられた蓋側可動部８５の第二蓋係合部８６に係合されるため、蓋用外装体７が蓋本体８に固定される。このとき、蓋側ボタン３０の第一蓋側押圧部３３が蓋側可動部８５の内周面の凹部８５ｃの内側に嵌め込まれており、第一蓋側押圧部３３の押圧面３３ａが蓋側可動部８５の内側被押圧面８５ｄに当接して、蓋側ボタン３０の第一蓋側押圧部３３が蓋側可動部８５を径方向内側から外側に向けて押圧するため、蓋用外装体７の第一蓋係合部７２と蓋側可動部８５の第二蓋係合部８６とが確実に係合された状態となり、蓋用外装体７が蓋本体８に確実に固定される。
【００４９】
一方、蓋付き容器１を廃棄する際には、樹脂製の部材（容器本体５、蓋本体８及びパッキン９）と金属製の部材（容器用外装体４及び蓋用外装体７）とに分別する必要がある。
そこで、まず、図５（ｂ）に示すように、容器２の口部５０ａから蓋体３を取り外す。すなわち、容器２と蓋体３とを軸線Ｏ回りに相対的に回転させる。これにより、口部５０ａに螺着された蓋体３が緩められ、蓋体３が容器２の口部５０ａから外される。
【００５０】
次に、容器２については、まず、図５（ｂ）に示すように、容器係合解除手段１１によって容器側可動部５５を径方向内側に移動させる。具体的に説明すると、容器側ボタン２０を容器用外装体４の底壁部４０側に向けて押し込む。このとき、容器側ボタン２０は、ガイド部２２ａがガイド溝５７ａに沿って摺動して案内されるため、軸方向に真直ぐと押し込まれる。容器側ボタン２０が底壁部４０側に押し込まれると、容器側ボタン２０の第一容器側押圧部２３が容器側可動部５５の内周面の凹部５５ｃの内側から上方に抜け出て、第一容器側押圧部２３が容器側可動部５５から離間する。これにより、容器側可動部５５の径方向外側への押圧が解除される。なお、このとき、容器側可動部５５の内周面の凹部５５ｃの内側には、容器側ボタン２０の凸条部２５が嵌め込まれる。続いて、容器側ボタン２０を更に底壁部４０側に押し込むことで、容器側ボタン２０の第二容器側押圧部２４が容器側可動部５５の外周面の凹部５５ａの内側に差し込まれる。このとき、第二容器側押圧部２４の押圧面２４ａが外周面側の凹部５５ａの外側被押圧面５５ｂ上を摺動し、容器側可動部５５が第二容器側押圧部２４によって径方向内側に向けて押圧される。これにより、容器側可動部５５が径方向内側に撓み変形し、第一容器係合部４２と第二容器係合部５６との係合が解除される。
【００５１】
次に、容器本体５から容器用外装体４を引き抜き、容器用外装体４を容器本体５から取り外す。このとき、上述したとおり、第一容器係合部４２と第二容器係合部５６との係合が解除されているため、容器用外装体４は容器本体５から容易に取り外される。
【００５２】
また、蓋体３については、まず、図５（ｂ）に示すように、容器係合解除手段１２によって蓋側可動部８５を径方向内側に移動させる。具体的に説明すると、蓋側ボタン３０を蓋用外装体７の天壁部７０側に向けて押し込む。このとき、蓋側ボタン３０は、ガイド部３２ａがガイド溝８７ａに沿って摺動して案内されるため、軸方向に真直ぐと押し込まれる。蓋側ボタン３０が天壁部７０側に押し込まれると、蓋側ボタン３０の第一蓋側押圧部３３が蓋側可動部８５の内周面の凹部８５ｃの内側から下方に抜け出て、第一蓋側押圧部３３が蓋側可動部８５から離間する。これにより、蓋側可動部８５の径方向外側への押圧が解除される。なお、このとき、蓋側可動部８５の内周面の凹部８５ｃの内側には、蓋側ボタン３０の凸条部３５が嵌め込まれる。続いて、蓋側ボタン３０を更に天壁部７０側に押し込むことで、蓋側ボタン３０の第二蓋側押圧部３４が蓋側可動部８５の外周面の凹部８５ａの内側に差し込まれる。このとき、第二蓋側押圧部３４の押圧面３４ａが外周面側の凹部８５ａの外側被押圧面８５ｂ上を摺動し、蓋側可動部８５が第二蓋側押圧部３４によって径方向内側に向けて押圧される。これにより、蓋側可動部８５が径方向内側に撓み変形し、第一蓋係合部７２と第二蓋係合部８６との係合が解除される。
【００５３】
次に、蓋本体８から蓋用外装体７を引き抜き、蓋用外装体７を蓋本体８から取り外す。このとき、上述したとおり、第一蓋係合部７２と第二蓋係合部８６との係合が解除されているため、蓋用外装体７は蓋本体８から容易に取り外される。
【００５４】
上記した構成からなる蓋付き容器１によれば、容器係合解除手段１１によって第一容器係合部４２と第二容器係合部５６との係合が解除されるので、容器本体５から容器用外装体４を容易に取り外すことができ、容器用外装体４と容器本体５とを容易に分別することができる。
また、上記した構成からなる蓋付き容器１によれば、蓋係合解除手段１２によって第一蓋係合部７２と第二蓋係合部８６との係合が解除されるので、蓋本体８から蓋用外装体７を容易に取り外すことができ、蓋用外装体７と蓋本体８とを容易に分別することができる。
【００５５】
特に、上記した蓋付き容器１では、容器係合解除手段１１が容器側ボタン２０からなり、容器側ボタン２０を容器用外装体４の底壁部４０側に押し込むだけで第一容器係合部４２と第二容器係合部５６との係合が解除されるので、容器本体５から容器用外装体４を取り外す作業が簡単であり、容器用外装体４と容器本体５とを特に容易に分別することができる。
また、蓋係合解除手段１２が蓋側ボタン３０からなり、蓋側ボタン３０を蓋用外装体７の天壁部７０側に押し込むだけで第一蓋係合部７２と第二蓋係合部８６との係合が解除されるので、蓋本体８から蓋用外装体７を取り外す作業が簡単であり、蓋用外装体７と蓋本体８とを特に容易に分別することができる。
【００５６】
以上、本発明に係る蓋付き容器の実施の形態について説明したが、本発明は上記した実施の形態に限定されるものではなく、その趣旨を逸脱しない範囲で適宜変更可能である。
例えば、上記した実施の形態では、容器２の口部５０ａの外周面に雄ねじ５０ｂが形成されていると共に蓋体３の蓋本体８の内周面に雌ねじ８１ａが形成されており、容器２の口部５０ａに蓋体３が螺着されているが、本発明は、ねじ構造以外の構成で容器２の口部５０ａに蓋体３が装着されていてもよい。
【００５７】
また、上記した実施の形態では、容器本体５の周壁部５０の下部、及び蓋本体８の周壁部８１が二重筒構造になっているが、本発明は、容器本体５の周壁部５０の下部や蓋本体８の周壁部８１が二重筒になっていなくてもよい。例えば、蓋本体８の図示せぬフランジ部や外壁部５４が省略され、内壁部５２の下部（口部５０ａよりも下側の部分）が口部５０ａよりも厚肉に形成された構成であってもよく、また、蓋本体８のフランジ部８３や外壁部８４が省略された構成であってもよい。
また、上記した実施の形態では、容器本体５の内側に内容物が直接収容される構成となっているが、本発明は、容器本体５（外容器）の内側に内容器が収容され、その内容器に内容物が収容される構成となっていてもよい。
【００５８】
また、上記した実施の形態では、容器本体５に容器側可動部５５が備えられて容器２に容器係合解除手段１１が備えられていると共に、蓋本体８に蓋側可動部８５が備えられて蓋体３に蓋係合解除手段１２が備えられているが、本発明は、容器及び蓋体のうちのいずれか一方のみが、容器係合解除手段を有する本発明の容器や、蓋係合解除手段を有する本発明の蓋体であり、他方が本発明以外の構成の蓋体や容器であってもよい。
例えば、周知の容器に上記した本実施の形態における蓋体３を装着させた構成であってもよい。すなわち、容器本体に容器側可動部５５が備えられていなく、容器に容器係合解除手段が備えられていなくてもよく、また、容器の外側が容器用外装体で覆われていなくてもよい。つまり、上記した実施の形態における容器用外装体４や容器係合解除手段１１等を適宜省略した構成であってもよい。
また、上記した実施の形態における容器２に周知の蓋体を装着させた構成であってもよい。すなわち、蓋本体に蓋側可動部８５が備えられていなく、蓋体に蓋係合解除手段が備えられていなくてもよく、また、蓋体の外側が蓋用外装体で覆われていなくてもよい。つまり、上記した実施の形態における蓋用外装体７や蓋係合解除手段１２等を適宜省略した構成であってもよい。さらに、この場合、蓋体は、容器の口部に螺着されるキャップ状の蓋体でなくてもよく、容器にヒンジを介して連結されてこのヒンジ回りに回転して開閉される蓋体であってもよい。
【００５９】
また、上記した実施の形態では、容器係合解除手段１１が、容器用外装体４の底壁部４０側に向けて押し込み可能な容器側ボタン２０からなり、蓋係合解除手段１２が、蓋用外装体７の天壁部７０側に向けて押し込み可能な蓋側ボタン３０からなるが、本発明は、上記した容器側ボタン２０以外からなる容器係合解除手段１１であってもよく、また、上記した蓋側ボタン３０以外からなる蓋係合解除手段１２であってもよい。例えば、容器側可動部５５から容器用外装体４の開口端の上方まで延びる摘みが設けられ、この摘みによって容器側可動部５５を径方向内側に撓み変形させる容器係合解除手段であってもよく、また、蓋係合解除手段についても同様に、蓋側可動部８５から蓋用外装体７の開口端の下方まで延びる摘みが設けられていてもよい。
【００６０】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６１】
【図１】本発明の実施の形態を説明するための蓋付き容器の縦断面図である。
【図２】本発明の実施の形態を説明するための容器本体の横断面図である。
【図３】本発明の実施の形態を説明するための蓋係合解除手段及び蓋側可動部と、容器係合解除手段及び容器側可動部の分解斜視図である。
【図４】本発明の実施の形態を説明するための蓋体の横断面図である。
【図５】本発明の実施の形態を説明するための容器及び蓋体の部分縦断面図である。
【符号の説明】
【００６２】
１  蓋付き容器
２  容器
３  蓋体
４  容器用外装体
５  容器本体
７  蓋用外装体
８  蓋本体
１１  容器係合解除手段
１２  蓋係合解除手段
２０  容器側ボタン
２３  第一容器側押圧部
２４  第二容器側押圧部
３０  蓋側ボタン
３３  第一蓋側押圧部
３４  第二蓋側押圧部
４０  底壁部
４１  周壁部
４２  第一容器係合部
５０  周壁部
５０ａ  口部
５５  容器側可動部
５６  第二容器係合部
７０  天壁部
７１  周壁部
７２  第一蓋係合部
８１  周壁部
８５  蓋側可動部
８６  第二蓋係合部
【図１】
2010083541.tif 000003
【図２】
2010083541.tif 000004
【図３】
2010083541.tif 000005
【図４】
2010083541.tif 000006
【図５】
2010083541.tif 000007